(57)【特許請求の範囲】
【請求項１】
リジェネレイティブバーナの蓄熱室に充填された蓄熱体に付着する付着物を除去する自動撹拌装置であって、
蓄熱室の外部に設置した往復運動するシリンダの先端部に先端金具を取り付け、
前記先端金具をラチェットレンチに固着することにより往復運動を回転運動に変え、
回転運動は蓄熱室の内部に配設した回転軸および回転羽根を取り付けた撹拌棒を回転して蓄熱室内を撹拌すると共に、
シリンダは電磁弁により押・引動作制御し、撹拌棒を一定時間撹拌した後、自動停止し、
前記撹拌棒の回転羽根は、外周面に切欠部を設けた略円板状であり小回転羽根と大回転羽根とで構成されている
ことを特徴とするリジェネレイティブバーナの蓄熱体自動撹拌装置。
【請求項２】
前記撹拌棒の回転羽根には蓄熱体が通過できる大きさの透孔が複数個穿設されている
ことを特徴とする請求項１に記載のリジェネレイティブバーナの蓄熱体自動撹拌装置。
【発明の詳細な説明】
【技術分野】
【０００１】
本発明は、リジェネレイティブバーナの蓄熱室に充填されている蓄熱体の外周面に付着する排ガスダストやスケールなどの付着物を除去するための蓄熱体自動撹拌装置に関するものである。
【背景技術】
【０００２】
従来から、各種工業炉の燃焼装置として、高い熱効率が得られると共に、大幅なＮＯｘの発生を抑制し、省エネルギーに優れた燃焼システムとして、蓄熱体を利用し廃熱を回収し、燃焼用空気を予熱するリジェネレイティブバーナシステムが多く採用されている。
【０００３】
そのリジェネレイティブバーナシステムは、バーナと蓄熱体とを組み合わせたバーナ装置を炉内に少なくとも一対配設し、一方のバーナの燃焼時には、該燃焼バーナに対して燃焼空気を蓄熱体を介して供給し、燃焼空気を蓄熱体の蓄熱で熱し、他方の非燃焼バーナでは、炉内の排ガスが蓄熱体を介し吸引して蓄熱体で熱交換することにより蓄熱し、次の燃焼時に蓄熱体で燃焼空気を加熱するようにして交互に切り替え燃焼するものである。
【０００４】
このリジェネレイティブバーナで用いられる蓄熱体は、蓄熱室内に適度の圧力損失をするように隙間を設けて充填されており、外気の燃焼空気と炉内の排ガスがその隙間を通過する時に蓄熱体に当たり、効果的に蓄熱の役割を果たすが、一方で、加熱炉に用いた場合には、その隙間に未燃焼カーボンなどの排ガスダストが付着しやすく、また溶解炉に用いた場合には、溶湯の処理用フラックスなどが付着して蓄熱体の目詰まりが短期間で発生した。
【０００５】
目詰まりが生じると、空気の流路が狭くなり、流通し難くなって圧力損失が大きくなり燃焼用容量が低下するので、蓄熱体を取り出して付着物を取り除くか、あるいは新規なものに交換しなければならず、その度に炉を止めているので連続運転ができず、作業効率が非常に悪いという問題があった。
【０００６】
付着物を取り除く手段としては、蓄熱室の側面から導入した突き棒を人力によって、前方に押したり、後方に引いたり、右方向に回転したり、左方向に回転したりして蓄熱体を動かすことにより、蓄熱体と蓄熱体を接触させて外周面に付着する排ガスダストなどを除去することが行われている（例えば、特許文献１参照）。
【先行技術文献】
【特許文献】
【０００７】
【特許文献１】特開平１１−１３２４４４号公報
【発明の概要】
【発明が解決しようとする課題】
【０００８】
しかしながら、前記特許文献１の突き棒での人力による付着物の除去は、突き棒が棒鋼製で重量があり、蓄熱体の重量と相俟って突き棒を持って手動で前後方向や左右回転方向に回すのが重労働になり作業者の負担が大きくなる。また、手動であるから突き棒の付近の限られた狭い範囲内で蓄熱体が移動するだけであり、蓄熱室全体にわたっての撹拌にならず、蓄熱体同士のぶつかりも少なく、付着した付着物が多く残り十分に除去することができないといった問題点がある。
【０００９】
本発明は、上記のような問題点を解決することを課題として研究開発されたもので、蓄熱体に付着する排ガスダストなどの付着物の除去を人力によらず、機械化による自動攪拌装置で行うことにより付着物の除去が容易にでき、作業時間の短縮と作業能率および運転効率の良いリジェネレイティブバーナの蓄熱体自動撹拌装置を提供するものである。
【課題を解決するための手段】
【００１０】
上記の課題を解決するため、本発明に係るリジェネレイティブバーナの蓄熱体自動撹拌装置は、蓄熱室の外部に設置した往復運動するシリンダの先端部に先端金具を取り付け、前記先端金具をラチェットレンチに固着することにより往復運動を回転運動に変え、回転運動は蓄熱室の内部に配設した回転軸および回転羽根を取り付けた撹拌棒を回転して蓄熱室内を撹拌すると共に、シリンダは電磁弁により押・引動作制御し、撹拌棒を一定時間撹拌した後、自動停止することを特徴とする。
【００１１】
これによれば、回転羽根を有する撹拌棒で撹拌することにより、蓄熱室内の蓄熱体と回転羽根が直接接触したり、攪拌による蓄熱体の転動や移動により蓄熱体同士が激しくぶつかりあい付着した付着物が短時間で容易に除去できる。また、先端金具を取り付けたラチェット機構を有するラチェットレンチを用いているので、従来の往復運動を回転運動に変えるクランク機構に比べて構造が簡略化できると共に、市販品の先端金具とラチェットレンチを用いるので安価で至便になる。
【００１２】
また、前記撹拌棒は、中空回転軸の外周面に複数個の回転羽根を取り付けてあり、回転軸に嵌着し容易に嵌脱できるように構成してあるのが望ましい。これによれば回転羽根が破損すれば中空回転軸と回転軸の嵌着を外せば速やかに取り換えることができる。
【００１３】
さらに、前記撹拌棒の回転羽根は、外周面に切欠部を設けた略円板状であり小回転羽根と大回転羽根とで構成するのが望ましい。これによれば、小回転羽根と大回転羽根の回転に伴う蓄熱体に当たる場所が異なり、蓄熱体を大きく攪拌することができ付着物の除去率が高くなる。また、撹拌棒の外周面に切欠部を設けてあるから、蓄熱体との引っ掛かりが増して付着物を積極的に取り除くことができる。
【００１４】
また、前記撹拌棒の回転羽根には蓄熱体が通過できる大きさの透孔を複数個穿設してあるのが望ましい。これによれば、蓄熱体の撹拌中に蓄熱体が透孔を通過することになり、その際に孔壁面と接触することにより付着物が取れる。また、回転羽根には、切欠部と透孔を設けてあるから重量が軽くなって回転時の抵抗力が少なくなり必要トルクの軽減化が図れる。
【発明の効果】
【００１５】
上述のように、本発明に係るリジェネレイティブバーナの蓄熱体自動撹拌装置は、シリンダの往復運動を回転運動に変えるラチェット機構を有するラチェットレンチにより回転軸を蓄熱室内で回転可能とし、前記回転軸および回転羽根付を取り付けた撹拌棒を回転することにより、多数の蓄熱体を撹拌でき蓄熱体の外周面に付着する排ガスダストなどの付着物を除去して蓄熱体の目詰まりを自動で防止することができ、作業時間の短縮化が図れ、極めて効率的に蓄熱体に付着する付着物を清掃することができる。また、簡素化された装置は部品数も少なく、最小限の改造および省スペースで既存の設備に設置することが可能である。
【図面の簡単な説明】
【００１６】
【図１】蓄熱室の内部を示す簡略縦断面図である。
【図２】前部カバー部を示す簡略正面図である。
【図３】シリンダと先端金具付きのラチェットレンチの連結状態を示す簡略側面図である。
【図４】シリンダと先端金具付きのラチェットレンチの動作説明図である。
【図５】大小の略円板状の回転羽根を示す正面図である。
【図６】上記の回転羽根が中空回転軸に取り付けられ攪拌棒とした状態の側面図である。
【図７】略円板状の回転羽根を示す正面図である。
【図８】上記の回転羽根が中空回転軸に取り付けられ攪拌棒とした状態の側面図である。
【図９】長円状の回転羽根を示す正面図である。
【図１０】上記の回転羽根が中空回転軸に取り付けられ攪拌棒とした状態の側面図である。
【図１１】短長円状の回転羽根を示す正面図である。
【図１２】上記の回転羽根が中空回転軸に取り付けられ攪拌棒とした状態の側面図である。
【図１３】短長円状の回転羽根を示す正面図である。
【図１４】上記の回転羽根が中空回転軸に取り付けられ攪拌棒とした状態の側面図である。
【図１５】略三角形状の回転羽根を示す正面図である。
【図１６】上記の回転羽根が中空回転軸に取り付けられ攪拌棒とした状態の側面図である。
【図１７】自動制御のフロー図である。
【発明を実施するための最良の形態】
【００１７】
以下、本発明の実施の形態を添付の図面に基づいて説明すれば、１はリジェネレイティブバーナであり、一対のバーナが燃焼と排気とを交番して行い、一方が燃焼を行う間、他方は炉内の燃焼済みガスを排気し、これが帯びる熱をバーナ本体内部の蓄熱室に蓄える。そして、燃焼時に燃焼用空気を蓄熱室に通して予熱することにより、廃熱を回収し燃焼効率の改善を実現するものである。このリジェネレイティブバーナ１の蓄熱室２にはアルミナボールなどの蓄熱体３が多数充填されていてそれぞれのアルミナボールなどの蓄熱体３はそれぞれ点接触している。                                          
【００１８】
４は蓄熱室２の外部にある前面カバー部５の受台６に配設した圧縮空気により往復運動するエアシリンダであり、エアシリンダ４の先端部にＹ先部とする２山先端具金具７を取り付けてあり、この２山先端具金具７の下端部とラチェット機構を内蔵するラチェットレンチ８の上端部とを固着し一体化してあり、エアシリンダ４の往復運動を回転運動に変えるようになっている。前記のラチェットレンチ８は、従来から知られている公知のものを使用することから内部構造などの説明は省略する。
【００１９】
９は蓄熱室２の前部と後部で支持され、前後長さ方向に配設された回転軸であり、一端部が蓄熱室２から突き出て前壁１０を貫通し、蓄熱室２の外部に突出している。この回転軸９の一端部にインパクトレンチソケット１１を溶接しラチェットレンチ８のソケット１２に嵌めボルトナット１３で一体的に固着してあり、この回転軸９とラチェットレンチ８が９０度になるよう固定されている。
【００２０】
１４は蓄熱室２の長さと略同じ長さの中空回転軸であり、その中空部に前記の回転軸９が挿通固着されていると共に、中空回転軸１４の外周面の長さ方向に所定間隔毎に回転羽根１５を溶接して撹拌棒１６を形成している。回転羽根１５の形状は、図５、図７に示すように、正面から見て外周面の所定間隔毎にＵ字状の切欠部１７を設けると共に、中心からの同心円の位置に９０度の間隔毎に蓄熱体３より大きい透孔１８を４個穿設してある。また、撹拌棒１６は回転羽根１５が破損した場合を考えて、回転軸９との固着を容易に着脱できるようになっている。
【００２１】
この回転羽根１５は、図６に示すように、大きさの異なる小回転羽根１５ａ，大回転羽根１５ｂ，大回転羽根１５ｂ，小回転羽根１５ａの順序に配列したり、図８に示すように、同じ大きさの回転羽根１５，１５を所定間隔毎に配列する場合がある。大きさの異なる大小回転羽根１５ａ，１５ｂの場合には、小回転羽根１５ａと大回転羽根１５ｂの蓄熱体３に当たる位置が異なることから、蓄熱体を大きく撹拌でき移動、転動が増し付着物を除去できる。
【００２２】
また、同じ大きさの回転羽根１５の場合には、回転羽根１５による蓄熱体３の当たる位置が略同じで画一的な撹拌となり移動や転動は少なくなるが、抵抗力が少なくなって破損が少なくなる利点があることから、このような形状を採用することもある。さらに、外周面の所定間隔毎に形成されたＵ字状の切欠部１７により蓄熱体３との接触が増して付着物の除去が向上する。また、透孔１８の径が蓄熱体３より大きいので、蓄熱体３が透孔１８を通過したり、当たる時に孔壁と接触し付着物を除去できる。
【００２３】
回転羽根１５の形状としては、前記の外周面の所定間隔毎にＵ字状切欠部１７を設けた略円板形の他にも、例えば、図９に示すように、正面から見て長円形状の回転羽根２５とし、図１０のように回転羽根２５を中空回転軸１４に対して直交に溶接したり、図１１、図１３に示すように、短長円形状の回転羽根２５とし、図１２のように、中空回転軸１４に対して傾斜するように溶接したり、図１４に示すように回転羽根２５を中空回転軸１４に対してハ字状に溶接したりすることもある。
【００２４】
さらに、別な形状として図１５に示すように、正面から見て頂点が切除された略三角形状の回転羽根３５とし、中空回転軸１４に対して直交に溶接する場合があり、前記の長円形および短長円形回転羽根２５と較べて幅広くなり、蓄熱体３との接触率が向上すると共に、頂点のない切除部分とも接触して移動、転動を高めることができる。回転羽根１５は、この他にも種々考えられるが、形状、枚数、位置などは適正に選択することにより、蓄熱体３に付着した付着物を効率よく除去できる。
【００２５】
このように構成された、リジェネレイティブバーナの蓄熱体自動撹拌装置の自動制御を図１７のフローチャートで説明すると、４０は高圧エア電磁弁、４１はストップバルブ、４２はエアフィルタ、４３はフレシキブルチューブ、４４はニードルバルブである。燃焼開始と同時に高圧エア電磁弁４０が開いて撹拌が開始される。高圧エア電磁弁４０から出た高圧エアは配管内を通過しエアシリンダ４を往復運動させる。予め設定していた時間で高圧エア電磁弁４０が切り替わり流れの方向が逆方向になる。シリンダ４の先端部に先端金具７を取り付けたラチェット機構を内蔵するラチェットレンチ８により往復運動は回転運動に変えられ、エアシリンダ４を押した時に力が加わり攪拌され、引いた時にラチェットギアが切り替わり、ラチェットが初期の位置〈押す前の位置〉に戻る。設定時間になると自動的に攪拌が終了する。  
【００２６】
以上、本発明の実施の形態においては、中空回転軸に同一間隔で同一形状の回転羽根を取り付けたもので説明したが、必ずしもこれに限定されるものではなく、形状が異なる回転羽根の場合でも適用でき、本発明の目的を達成でき、かつ本発明の要旨を逸脱しない範囲内で種々の設計変更が可能であるのは言うまでもない。
【産業上の利用可能性】
【００２７】
本発明は、溶解炉、加熱炉など各種の工業炉に使用されるリジェネレイティブバーナの
蓄熱体に付着する付着物の除去作業に用いる自動撹拌装置として利用可能である。
【符号の説明】
【００２８】
１      リジェネレイティブバーナ  
２      蓄熱室
３      蓄熱体
４      シリンダ
７      先端金具
８      ラチェットレンチ
９      回転軸
１４    中空回転軸
１５    回転羽根
１５ａ  小回転羽根
１５ｂ  大回転羽根
１６    撹拌棒
１７    切欠部
１８    透孔
１９    電磁弁
２５    回転羽根
３５    回転羽根
４０    電磁弁
【図１】
0006007197.tif 000002
【図２】
0006007197.tif 000003
【図３】
0006007197.tif 000004
【図４】
0006007197.tif 000005
【図５】
0006007197.tif 000006
【図６】
0006007197.tif 000007
【図７】
0006007197.tif 000008
【図８】
0006007197.tif 000009
【図９】
0006007197.tif 000010
【図１０】
0006007197.tif 000011
【図１１】
0006007197.tif 000012
【図１２】
0006007197.tif 000013
【図１３】
0006007197.tif 000014
【図１４】
0006007197.tif 000015
【図１５】
0006007197.tif 000016
【図１６】
0006007197.tif 000017
【図１７】
0006007197.tif 000018